(57)【特許請求の範囲】
【請求項１】
収容架、複数のファン、複数の弾性部材及び複数の固定部材を備えてなるファンモジュールであって、
前記収容架は、矩形の底板と、前記底板の長手方向の対向する両側に垂直に設置される２つの第一側板と、前記底板の短手方向の対向する両側に垂直に設置される２つの第二側板と、前記底板に垂直に設置され且つ前記第二側板に平行な複数の隔離板と、を備え、複数の前記隔離板は、前記収容架を複数の前記ファンを収容する複数の収容空間に分割し、前記第一側板の頂部には、前記収容空間にそれぞれ対応して２つの係合スロットが設けられ、
複数の前記弾性部材は、複数の前記係合スロットにそれぞれ係合し、複数の前記固定部材は、対応する前記ファンにそれぞれ固定され且つ対応する前記弾性部材にそれぞれ係合することを特徴とするファンモジュール。
【請求項２】
前記係合スロットの２つの内側壁には、係合口がそれぞれに設けられ、前記弾性部材には、前記係合スロットの２つの前記係合口にそれぞれ係合する２つの突起が形成されることを特徴とする請求項１に記載のファンモジュール。
【請求項３】
前記弾性部材は、頂面及び前記頂面の両端に接続される弧形の底面を備え、前記底面には、前記係合スロットの側壁を収容する収容スロットが設けられ、前記弾性部材の２つの前記突起は、前記収容スロット内で２つの前記頂面に近い箇所に形成されることを特徴とする請求項２に記載のファンモジュール。
【請求項４】
前記第一側板における前記係合スロットの開口の両側には、階段面がそれぞれに形成され、前記弾性部材の前記頂面の両端と前記底面との接続箇所には、当止部がそれぞれに形成され、前記弾性部材の２つの前記当止部は、対応する前記係合スロットの前記開口の両側の前記階段面に当接することを特徴とする請求項３に記載のファンモジュール。
【請求項５】
前記弾性部材の前記頂面には開口が設けられ、
前記ファンは、対向する２つのフレームを備え、前記フレームの頂端の２つの角部には、固定孔がそれぞれに設けられ、
前記固定部材は、Ｃ字状の弾性部及び前記弾性部の両端に位置する突出軸を備え、
前記固定部材の２つの前記突出軸は、対応する前記ファンの２つの前記フレームの前記固定孔を貫通してから対応する前記弾性部材の前記開口に係合し、前記固定部材の前記弾性部の両端は、対応する前記ファンの２つの前記フレームに当接することを特徴とする請求項３または４に記載のファンモジュール。
【請求項６】
前記弾性部材の前記頂面には開口が設けられ、
前記ファンは、対向する２つのフレームを備え、前記フレームの頂端の２つの角部には、固定孔がそれぞれに設けられ、
前記固定部材には、前記ファンが貫通する開口が設けられ、前記固定部材の前記開口の両側には、２つの第一側壁が設置され、前記第一側壁の内側の両端には、前記ファンの対応する前記フレームの２つの前記固定孔にそれぞれ係合する２つの突起が形成され、前記第一側壁の外側には、対応する２つの前記弾性部材の前記開口にそれぞれ係合する２つの突出部が形成されることを特徴とする請求項３から５のいずれか一項に記載のファンモジュール。
【請求項７】
２つの前記第一側壁の外側には、係合部がそれぞれ突出して形成され、前記係合部は、前記第一側壁の外側から垂直に延在する頂板及び前記頂板の下面の両端に位置する２つの係合塊を備え、前記係合塊の頂端が半円柱状の前記突出部を形成することを特徴とする請求項６に記載のファンモジュール。
【請求項８】
前記固定部材の前記突起の端面は、楔形であることを特徴とする請求項６または７に記載のファンモジュール。
【発明の詳細な説明】
【技術分野】
【０００１】
本発明は、ファンモジュールに関するものである。
【背景技術】
【０００２】
現在、コンピューターシステムの集積量が徐々に多くなり、その内部のＣＰＵ、ディスプレイカード及び他の電子素子の発熱量も増加するので、この熱量を即時に効果的に放熱しなければ、コンピューターは過熱によって故障が発生し、さらに損傷する可能性もある。よって、コンピューターの内部にファンモジュールを設置して放熱する。
【発明の概要】
【発明が解決しようとする課題】
【０００３】
しかし、ファンモジュール内のファンが高速に回転する際、振動を招き、このような振動は、コンピューターシステム内の電子素子の性能及び寿命に対して不利な影響を生じさせるとともに、大きい騒音を発生させる問題が存在する。
【０００４】
本発明の目的は、前記課題を解決し、振動を減少するファンモジュールを提供することである。
【課題を解決するための手段】
【０００５】
本発明に係るファンモジュールは、収容架、複数のファン、複数の弾性部材及び複数の固定部材を備え、前記収容架は、矩形の底板と、前記底板の長手方向の対向する両側に垂直に設置される２つの第一側板と、前記底板の短手方向の対向する両側に垂直に設置される２つの第二側板と、前記底板に垂直に設置され且つ前記第二側板に平行な複数の隔離板と、を備え、複数の前記隔離板は、前記収容架を複数の前記ファンを収容する複数の収容空間に分割し、各前記第一側板の頂部には、前記収容空間にそれぞれ対応して２つの係合スロットが設けられ、複数の前記弾性部材は、複数の前記係合スロットにそれぞれ係合し、複数の前記固定部材は、対応する前記ファンにそれぞれ固定され且つ対応する前記弾性部材にそれぞれ係合する。
【発明の効果】
【０００６】
従来の技術に比べて、本発明のファンモジュールのファンは、固定部材によって弾性部材に係合してから収容架内に収容されるので、前記ファンが高速で回転して振動が生じても、前記弾性部材は前記ファンの振動を減少することができる。
【図面の簡単な説明】
【０００７】
【図１】本発明の第一実施形態に係るファンモジュールの分解斜視図である。
【図２】図１に示すファンモジュールの弾性部材の断面図である。
【図３】図１に示すファンモジュールの組立斜視図である。
【図４】本発明の第二実施形態に係るファンモジュールの分解斜視図である。
【図５】図４に示すファンモジュールの固定部材の別の視角からの拡大図である。
【図６】図４に示すファンモジュールの組立斜視図である。
【発明を実施するための形態】
【０００８】
図１及び図２を参照すると、本発明の第一実施形態に係るファンモジュールは、収容架１０と、複数のファン２０と、複数の弾性部材３０と、複数の固定部材４０と、を備える。
【０００９】
前記収容架１０は、矩形の底板１２と、前記底板１２の長手方向の対向する両側に垂直に設置される２つの第一側板１４と、前記底板１２の短手方向の対向する両側に垂直に設置される２つの第二側板１６と、前記底板１２に垂直に設置され且つ前記第二側板１６に平行な複数の隔離板１７と、を備える。複数の前記隔離板１７は、前記収容架１０を複数の収容空間１９に分割する。前記第一側板１４の頂部には、前記収容空間１９にそれぞれ対応して２つのＣ字状の係合スロット１４０が設けられる。前記第一側板１４における前記係合スロット１４０の開口の両側には、階段面１４２がそれぞれに形成される。前記係合スロット１４０の２つの内側壁の長手方向中央部には、係合口１４００がそれぞれに設けられる。
【００１０】
前記ファン２０は、本体２２及び前記本体２２の対向する両端に位置する略矩形の２つのフレーム２４を備える。前記フレーム２４の４つの角部には、固定孔２４０がそれぞれに設けられる。
【００１１】
前記弾性部材３０は、プラスチックのような弾性材料からなる。各々の前記弾性部材３０は、ハート状であり、頂面３２０及び前記頂面３２０の両端に接続される弧形の底面３２１を備える。前記頂面３２０の両端と前記底面３２１との接続箇所には、当止部３２５がそれぞれに形成される。前記底面３２１には、収容スロット３２２が設けられる。前記弾性部材３０の前記収容スロット３２２内で２つの前記当止部３２５に近い箇所には、突起３２４がそれぞれに形成される。前記頂面３２０には、Ｃ字状の開口３２６が設けられる。
【００１２】
各々の前記固定部材４０は、Ｃ字状の弾性部４２及び前記弾性部４２の両端に位置する突出軸４４を備える。
【００１３】
図３を参照すると、前記ファンモジュールを組み立てる場合、先ず、前記弾性部材３０を前記収容架１０の係合スロット１４０に設置すると、前記係合スロット１４０の側壁は、前記弾性部材３０の収容スロット３２２に収容され、前記弾性部材３０の突起３２４は、対応する前記係合スロット１４０の係合口１４００に係合し、前記弾性部材３０の当止部３２５は、対応する前記係合スロット１４０の開口の両側の階段面１４２に当接して、前記弾性部材３０は前記収容架１０に取り付けられる。次に、各々の前記ファン２０に２つの前記固定部材４０を取り付ける。具体的に説明すると、前記固定部材４０の弾性部４２を押圧して前記固定部材４０を収縮させ、前記固定部材４０の両端の突出軸４４を前記ファン２０の２つのフレーム２４の頂端の２つの固定孔２４０に貫通させてから、前記弾性部４２を放すと、前記弾性部４２の両端は２つの前記フレーム２４に当接し、前記固定部材４０は前記ファン２０に固定される。最後に、前記固定部材４０を取り付けた前記ファン２０を前記収容架１０の収容空間１９内に設置すると、前記固定部材４０の両端の突出軸４４は、前記収容架１０に固定された対応する前記弾性部材３０の開口３２６に係合して、前記ファンモジュールの組立が完成する。
【００１４】
前記ファンモジュールを使用する際、前記ファン２０は、前記固定部材４０によって前記弾性部材３０に係合してから前記収容架１０内に収容されるので、前記ファン２０が高速で回転して振動が生じても、前記弾性部材３０は前記ファン２０の振動を減少することができる。
【００１５】
図４〜図６を参照すると、本発明の第二実施形態に係るファンモジュールにおいて、固定部材５０が前記第一実施形態に係るファンモジュールの固定部材４０を置換し、他の構造は、前記第一実施形態と同じであり、前記第一実施形態と共通する部分は前記第一実施形態と同符号を付して説明する。
【００１６】
前記固定部材５０は、長手方向の対向する両側に設置される２つの第一側壁５４及び短手方向の対向する両側に設置される２つの第二側壁５６を備え、２つの前記第一側壁５４及び２つの前記第二側壁５６が取り囲んで矩形の開口５２を形成する。２つの前記第一側壁５４の外側には、係合部５８がそれぞれ突出して形成される。前記第一側壁５４の底部には、弧形の切欠部５４０が形成される。前記第一側壁５４の内側の前記切欠部５４０の両端には、突起５４２がそれぞれに形成される。前記突起５４２の端面は、楔形である。前記係合部５８は、前記第一側壁５４の外側に垂直に延在する頂板５８０及び前記頂板５８０の下面の両端に位置する２つの係合塊５８２を備える。前記頂板５８０の２つの係合塊５８２の近傍には、２つの係合孔５８３が設けられる。前記係合塊５８２の頂端は、半円柱状の突出部５８４を形成する。
【００１７】
前記第二実施形態に係るファンモジュールを組み立てる場合、先ず前記第一実施形態のように前記弾性部材３０を前記収容架１０に取り付ける。次に、前記ファン２０に前記固定部材５０を取り付ける。具体的に説明すると、前記ファン２０の頂端を前記固定部材５０の開口５２に貫通させて、前記固定部材５０の２つの第一側壁５４の４つの突起５４２は、前記ファン２０の２つのフレーム２４の頂端の４つの固定孔２４０をそれぞれ貫通して、前記固定部材５０は前記ファン２０に固定される。本実施形態において、前記突起５４２の端面は楔形であるので、前記突起５４２を前記固定孔２４０に取り付け易い。最後に、前記固定部材５０を取り付けた前記ファン２０を前記収容架１０の収容空間１９内に設置すると、前記収容空間１９に対応する４つの前記弾性部材３０の一端は、前記固定部材５０の４つの係合孔５８３に係合し、前記固定部材５０の４つの突出部５８４は、前記収容空間１９に対応する４つの前記弾性部材３０の開口３２６に係合して、前記ファンモジュールの組立が完成する。それから前記ファンモジュールを電子設備２００の底板２０２に固定する。
【００１８】
前記ファンモジュールを使用する際、前記ファン２０は、前記固定部材５０によって前記弾性部材３０に係合してから前記収容架１０内に収容されるので、前記ファン２０が高速で回転して振動が生じても、前記弾性部材３０は前記ファン２０の振動を減少することができる。
【００１９】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２０】
１０  収容架
１２，２０２  底板
１４  第一側板
１６  第二側板
１７  隔離板
１９  収容空間
２０  ファン
２２  本体
２４  フレーム
３０  弾性部材
４０，５０  固定部材
４２  弾性部
４４  突出軸
５２，３２６  開口
５４  第一側壁
５６  第二側壁
５８  係合部
１４０  係合スロット
２００  電子設備
２４０  固定孔
３２０  頂面
３２１  底面
３２２  収容スロット
３２４，５４２  突起
３２５  当止部
５４０  切欠部
５８０  頂板
５８２  係合塊
５８３  係合孔
５８４  突出部
１４００  係合口
【図１】
0005199445.tif 000002
【図２】
0005199445.tif 000003
【図３】
0005199445.tif 000004
【図４】
0005199445.tif 000005
【図５】
0005199445.tif 000006
【図６】
0005199445.tif 000007